(57)【要約】【課題】抵抗の強弱および重量を調整することが容易な、ボビンノットを作るのに適した釣具結束用具を提供する。【解決手段】円筒状回転体２と、アーム部３と、案内部４と、制動力調整手段とを備えている。アーム部３が左側アーム３１ａと右側アーム３１ｂを備え、左側アーム３１ａと右側アーム３１ｂで円筒状回転体２を挟持して、円筒状回転体２と、左側アーム３１ａと、右側アーム３１ｂとに形成した開口部に挿通した締め付けボルト６の螺子部に締め付けナット７を螺着することによって円筒状回転体２を回転可能に支持し、左側アーム３１ａと円筒状回転体２とのあいだ及び右側アーム３１ｂと円筒状回転体２とのあいだには、それぞれ左側スリーブ５ａと右側スリーブ５ｂを挿入し、左側スリーブ５ａと円筒状回転体２との接触面および右側スリーブ５ｂと円筒状回転体２との接触面には制動力を調整するための手段が設けられている。【選択図】図１
2018029525.tif 000002
【特許請求の範囲】
【請求項１】
釣用ラインが巻き付けられる巻付部を有する円筒状回転体と、前記円筒状回転体を回転可能に支持するアーム部と、前記アーム部に設けられ、前記円筒状回転体の巻付部から離隔した位置に釣用ラインを案内する案内部と、前記円筒状回転体に対して制動面を接触させ、回転体と制動面との接触部分の圧力を増減させることにより回転体に生じる摩擦力を増減させる制動力調整手段とを備えたことを特徴とする釣具結束用具において、前記アーム部が左側アームと右側アームを備え、前記左側アームと右側アームで円筒状回転体を挟持して、前記左側アームと、前記円筒状回転体と、前記右側アームとに形成した開口部に挿通した締め付けボルトの螺子部に締め付けナットを螺着することによって円筒状回転体を回転可能に支持し、前記左側アームと円筒状回転体とのあいだ及び前記右側アームと円筒状回転体とのあいだには、それぞれ左側スリーブと右側スリーブを挿入し、左側スリーブと円筒状回転体との接触面および右側スリーブと円筒状回転体との接触面には制動力を調整するための手段が設けられていることを特徴とする釣具結束用具。
【請求項２】
制動力を調整するための手段がローレット加工であることを特徴とする請求項１に記載の釣具結束用具。
【請求項３】
締め付けボルトの頭部と、締め付けナットが樹脂製であることを特徴とする請求項１または２に記載の釣具結束用具。
【発明の詳細な説明】
【技術分野】
【０００１】
本発明は、釣具結束用具に関し、より詳しくは、釣用ラインを結束するためなどに使用する釣具結束用具に関する。
【背景技術】
【０００２】
例えば海のルアーフィッシングでは、釣用ラインとしてのメインラインに直接ルアーを結束せず、メインラインの先端部にリーダーと呼ばれる強度の高い別の釣用ラインを結束し、ルアーはそのリーダーの先端部に結束することが多い。ラインとライン、ラインとルアー等との結束部、あるいは結束方法をノットという。
【０００３】
ノットには伝統的なものから個人が独自に案出したものまで、様々なものが存在する。いずれのノットにも長所と短所があるが、ノットで重要なことは、強度が高いこと、結束作業が簡単であること、結束作業が迅速であること、である。また、同じノットであっても、作業者の習熟度によって強度や結束作業のスピードには大きな差異が生じる。
【０００４】
メインラインとリーダーとを結束するノットのうち、釣り愛好者の間で「ボビンノット」と呼ばれるノットが知られている。ボビンノットはパックラットノットなどと呼ばれる場合もある。ボビンノットは道具を用いて結束するため、作業者の習熟度に関わらず、比較的容易に強度の高いノットを作ることができ、比較的結束作業が簡単で迅速である。このため、ボビンノットは、メインラインとリーダーとを結束するノットとしてよく用いられている。ボビンノットに使用される道具は、ボビンとボビンホルダーである。ボビンとボビンホルダーはフライフィッシング等で用いられるものを利用する（例えば、図７、特許文献１参照。従来のボビンノットという）。以下に、従来の代表的なボビンノットの手順について説明する。
【０００５】
まず、図８に示すように、ボビン８１とボビンホルダー８２の準備を行なう。ボビン８１は、中心部に設けられている穴にオモリ等を入れ、重量を増加させたものを用いる。ボビンホルダー８２の導管８３にメインライン９２を通す。メインライン９２は導管８３の先端側から通す。導管８３を通したメインライン９２はボビンホルダー８２のアーム８４に適当な回数で巻き付ける。メインライン９２をアーム８４に巻き付けてから、メインライン９２の先端部をボビン８１に固定する。ボビン８１を数回転させてメインライン９２をボビン８１に巻き付ける。
【０００６】
ここで、メインライン９２をボビンホルダー８２のアーム８４に巻き付けるのは、メインライン９２に抵抗を生じさせるためである。メインライン９２に抵抗を生じさせる理由は、後に説明するように、メインライン９２を導管８３の先から引き出しにくくして、リーダー９３をメインライン９２で締め付ける場合の締め付け力を付与するためである。
【０００７】
ボビン８１とボビンホルダー８２の準備を行なった後、図９に示すように、メインライン９２とリーダー後端部９３ａ（ノットとなる側）とを合わせて一方の手指で把持する。メインライン９２を把持する位置は、導管８３の先から１０ｃｍ程度の位置とする。リーダー９３の途中部分を他方の手指で把持する。リーダー後端部９３ａを上にし、メインライン９２とリーダー９３とが上下方向になるように保持する。ボビンホルダー８２をリーダー９３の周りに軽く振りまわすようにして回転させ、リーダー後端部９３ａから５ｃｍ乃至１０ｃｍ程度の範囲に螺旋状にメインライン９２を巻き付ける。図１０に示すように、巻き終わり部分は手指で把持する。
【０００８】
次に、図１１に示すように、メインライン９２を巻き付けたリーダー９３を水平方向に張った状態に保持する。図１２に示すように、両手でリーダー９３を振って、ボビンホルダー８２をリーダー９３の周りに回転させる。回転させると、ボビン８１とボビンホルダー８２に作用する遠心力によってメインライン９２が導管８３の先から少しずつ引き出される。リーダー９３にすでに巻き付けたメインライン９２とリーダー９３とを締め付けながら、メインライン９２をリーダー後端部９３ａ側に向けて巻き付けていく。このとき、導管８３の先端を常にリーダー９３に接近させた状態を保ちながらボビンホルダー８２を回転させるようにする。
【０００９】
ボビンホルダー８２がリーダー後端部９３ａまで達したら巻き付けを終了する。巻き付け回数は、１５０回程度である。巻き付けた部分が解けないように手指で把持し、ボビン８１に残ったメインライン９２（以下、「メインライン９２端線」という。）はボビン８１から引き抜いて外す。メインライン９２端線は、リーダー後端部９３ａに対して、数回ハーフヒッチで編み付ける（図示省略）。さらにメインライン９２にメインライン９２端線を１０回ほどハーフヒッチで編み付ける（図示省略）。メインライン９２端線とリーダー後端部９３ａの残余部分をカットして、ボビンノットは完成する。
【００１０】
以上説明したボビンノットの強度を確保する上で重要なことは、第１に、メインライン９２に適切な締め付け力を付与してリーダー９３を締め付けることであり、第２に、導管８３の先端を常にリーダー９３に接近させた状態を保ちながらボビンホルダー８２を回転させることである（図１２参照）。
【００１１】
このうち、メインライン９２に付与する締め付け力は、メインライン９２の強度が強い程、あるいはリーダー９３の直径が太い程、強い締め付け力にすることが必要である。この締め付け力は、ボビンホルダー８２とボビン８１に作用する遠心力によって発生するものであるから、ボビン８１の重量を増加させたり、ボビンホルダー８２の回転速度を増加させて遠心力を増大させることによって、締め付け力を強くすることができる。
【００１２】
また、導管８３の先端を常にリーダー９３に接近させた状態を保ちながらボビンホルダー８２を回転させることが重要なのは、この状態で回転させることによって、メインライン９２をリーダー９３に対して間隔を開けず密に巻き付けることができるからである（図１２参照）。メインライン９２を密に巻き付けることができないと、メインライン９２の巻き付け部分がずれて締め付け力が低下し、ボビンノットの強度を低下させてしまうこととなる。
【００１３】
上記のように、ボビンノットでは、メインライン９２に適切な締め付け力を付与し、かつ、導管８３の先端を常にリーダー９３に接近させた状態を保ちながらボビンホルダー８２を回転させる必要があるが、そのためには、メインライン９２の抵抗の強弱を調整することが極めて重要となる。
【００１４】
すなわち、メインライン９２の抵抗が弱い場合は、ボビン８１とボビンホルダー８２の重量や回転によってメインライン９２が簡単に引き出されてしまう。このため、導管８３の先端を常にリーダー９３に接近させた状態でボビンホルダー８２をリーダー９３の周りに回転させるようにすると、ボビンホルダー８２に遅い回転しか与えられず遠心力が不足して締め付け力が不足し、ボビンノットの強度を確保することはできない。
【００１５】
反対に、締め付け力を確保するように速く回転させると、導管８３の先端がリーダー９３から離隔してしまい、メインライン９２をリーダー９３に対して間隔を開けず密に巻き付けることができない。この場合もボビンノットの強度を確保することはできない。
【００１６】
また、メインライン９２の抵抗が強い場合は、ボビンホルダー８２を回転させてもメインライン９２は引き出されにくい。この場合は、導管８３の先端ではなく中間部がリーダー９３に接近した状態となり、メインライン９２をリーダー９３に対して間隔を開けず密に巻き付けることができないばかりか、ボビンホルダー８２の回転が円滑でなくなり、その結果、ボビンノットを作ることは困難となる。
【００１７】
従って、メインライン９２の抵抗の強弱は、ボビン８１とボビンホルダー８２の重量の軽重、回転速度に応じて調整しなければならない。例えば、ボビン８１の重量を増加させたり、ボビンホルダー８２の回転速度を増加させると、遠心力は増加するため、抵抗を強くする必要がある。反対に、ボビン８１の重量を減少させたり、ボビンホルダー８２の回転速度を減少させると、遠心力は低下するため、抵抗を弱める必要がある。
【先行技術文献】
【特許文献】
【００１８】
【特許文献１】特開平１１−１６９０４９号公報
【発明の概要】
【発明が解決しようとする課題】
【００１９】
上記のように、ボビンノットでは、メインライン９２に生じさせる抵抗の強弱の調整が極めて重要である。しかしながら、ボビン８１とボビンホルダー８２を用いた従来の方法では、メインライン９２をボビンホルダー８２のアーム８４に巻き付けることによって抵抗を生じさせている。抵抗の強弱は、巻き付け回数を増減させることによって調整しなければならない。このため、ボビン８１とボビンホルダー８２の準備を全て行なった後、再度抵抗の強弱を調整する場合には、一旦メインライン９２をボビン８１から全部引き抜き、巻き付け回数を増減させてから再度ボビン８１とボビンホルダー８２の準備を行なわなければならない。従って、抵抗の強弱の調整が極めて重要であるにも関わらず、抵抗の強弱を調整することは非常に手数を要するという問題があった。
【００２０】
また、ボビンノットでは、メインライン９２による締め付け力は、ボビンホルダー８２とボビン８１に作用する遠心力によって発生するものであるが、ボビン８１とボビンホルダー８２を用いた従来の方法では、メインライン９２の締め付け力を調整するためにボビン８１とボビンホルダー８２の重量を増減させることが困難であるという問題があった。
【００２１】
本発明は、前記の問題点に鑑みてなされたものであって、その目的は、抵抗の強弱および重量を調整することが容易な、ボビンノットを作るのに適した釣具結束用具を提供することにある。
【課題を解決するための手段】
【００２２】
前記目的を達成するため、第一の発明は、釣用ラインが巻き付けられる巻付部を有する円筒状回転体と、前記円筒状回転体を回転可能に支持するアーム部と、前記アーム部に設けられ、前記円筒状回転体の巻付部から離隔した位置に釣用ラインを案内する案内部と、前記円筒状回転体に対して制動面を接触させ、回転体と制動面との接触部分の圧力を増減させることにより回転体に生じる摩擦力を増減させる制動力調整手段とを備えたことを特徴とする釣具結束用具において、前記アーム部が左側アームと右側アームを備え、前記左側アームと右側アームで円筒状回転体を挟持して、前記左側アームと、前記円筒状回転体と、前記右側アームとに形成した開口部に挿通した締め付けボルトの螺子部に締め付けナットを螺着することによって円筒状回転体を回転可能に支持し、前記左側アームと円筒状回転体とのあいだ及び前記右側アームと円筒状回転体とのあいだには、それぞれ左側スリーブと右側スリーブを挿入し、左側スリーブと円筒状回転体との接触面および右側スリーブと円筒状回転体との接触面には制動力を調整するための手段が設けられている。
【００２３】
第二の発明は、第一の発明において、制動力を調整するための手段がローレット加工である。
【００２４】
第三の発明は、第一または第二の発明において、締め付けボルトの頭部と、締め付けナットが樹脂製である。
【発明の効果】
【００２５】
従って、第一の発明によれば、左側アーム部と円筒状回転体とのあいだには左側スリーブが挿入され、右側アーム部と円筒状回転体とのあいだには右側スリーブが挿入され、左側スリーブと円筒状回転体との接触面および右側スリーブと円筒状回転体との接触面には制動力を調整するための手段が設けられているので、円筒状回転体の抵抗の強弱を容易に調整することができる。第二の発明によれば、制動力調整手段を比較的簡単に実現することができる。第三の発明によれば、締め付けボルトの頭部と、締め付けナットの樹脂の種類を変更させることにより、釣具結束用具の重量の調整を容易に行うことができる。
【図面の簡単な説明】
【００２６】
【図１】図１は本発明の釣具結束用具の一実施形態の平面図である。
【図２】図２（ａ）は、図１の釣具結束用具の円筒状回転体の平面図、図２（ｂ）は図２（ａ）の右側端面図である。
【図３】図３は、図１の釣具結束用具の締め付けボルトの平面図である。
【図４】図４は、図１の釣具結束用具の締め付けナットの側面図である。
【図５】図５は、図１の釣具結束用具のアーム部および案内部の平面図である。
【図６】図６は、図１の釣具結束用具のスリーブの平面図である。
【図７】図７は、従来のボビンノットのボビンとボビンホルダーの正面図である。
【図８】図８は、従来のボビンノットにおいて、メインラインを巻き付けたボビンとボビンホルダーの正面図である。
【図９】図９は、従来のボビンノットにおいて、ボビンとボビンホルダーを用いてボビンノットを作る手順を示す正面図である。
【図１０】図１０は、従来のボビンノットにおいて、ボビンとボビンホルダーを用いてボビンノットを作る手順を示す正面図である。
【図１１】図１１は、従来のボビンノットにおいて、ボビンとボビンホルダーを用いてボビンノットを作る手順を示す正面図である。
【図１２】図１２は、従来のボビンノットにおいて、ボビンとボビンホルダーを用いてボビンノットを作る手順を示す正面図である。
【発明を実施するための形態】
【００２７】
本発明を具体化した実施形態について図１から図６に従って説明する。図１に示すように、釣具結束用具１は、円筒状回転体２、アーム部３、案内部４、左側スリーブ５ａ、右側スリーブ５ｂ、締め付けボルト６、および締め付けナット７を有する。
【００２８】
円筒状回転体２は、釣用ラインを巻付ける部分である。図２（ａ）に示すように、円筒状回転体２は、巻付部２１と、左側円形端面２２ａと、右側円形端面２２ｂと、後記する締め付けボルトの螺子部を挿通するための貫通孔２３とを有する。円筒状回転体２の外形は円筒形状である。側面にあたる部分が巻付部２１である。円筒状回転体２の素材はアルミニウム、ステンレス等の金属素材や合成樹脂等を使用することができるが、製造が簡単で製造コストを低減できる観点から合成樹脂が好ましい。
【００２９】
巻付部２１は釣用ラインが巻き付けられる部分である。巻付部２１には、釣用ラインが不用意に滑ることを防止するために、滑り止め防止のための部材を巻付部２１に嵌合したり、巻付部２１にゴム系塗料等を塗布したり、巻付部２１の表面に細溝やローレット加工を形成することができる。
【００３０】
図２（ｂ）に示すように、右側円形端面２２ｂには、ローレット加工（平目ローレット）２４が施されるとともに、後記する締め付けボルトの螺子部を挿通するための開口２５が形成されている。なお、左側円形端面２２ａにも、右側円形端面２２ｂと同様に、ローレット加工が施されるとともに、後記する締め付けボルトの螺子部を挿通するための開口が形成されている。
【００３１】
図３に示すように、締め付けボルト６は、頭部６１と、螺子部６２が形成された軸部６３を有する。軸部６３が図２（ａ）に示す円筒状回転体２の貫通孔２３に挿通される。
【００３２】
図５に示すように、アーム部３は、左側アーム３１ａと右側アーム３１ｂを有している。左側アーム３１ａと右側アーム３１ｂには、それぞれ、締め付けボルト６の螺子部６２を挿通するための開口３２ａと３２ｂが形成されている。
【００３３】
さらに、図１において、円筒状回転体２の左側円形端面２２ａとアーム部３の左側アーム３１ａとのあいだには左側スリーブ５ａが挿入され、円筒状回転体２の右側円形端面２２ｂとアーム部３の右側アーム３１ｂとのあいだには右側スリーブ５ｂが挿入される。また、左側スリーブ５ａが左側円形端面２２ａに接触する側と、右側スリーブ５ｂが右側円形端面２２ｂに接触する側には、図６に示すようなローレット加工（平目ローレット）５１が施されるとともに、締め付けボルト６の螺子部６２を挿通するための開口５２が形成されている。
【００３４】
かくして、図１に示すように、円筒状回転体２の両側に左側スリーブ５ａと右側スリーブ５ｂを配置して、さらに、その外側にアーム部３の左側アーム３１ａと右側アーム３１ｂを配置して、締め付けボルト６を挿通して図４に示す締め付けナット７が螺子部６２と螺着されることによって、円筒状回転体２は回転可能に支持される。そして、左側円形端面２２ａに設けられたローレット加工２４と左側スリーブ５ａに設けられたローレット加工５１とが摩擦面となって円筒状回転体２に対する制動力を発生し、右側円形端面２２ｂに設けられたローレット加工２４と右側スリーブ５ｂに設けられたローレット加工５１とが摩擦面となって円筒状回転体２に対する制動力を発生する。
【００３５】
締め付けボルト６と締め付けナット７はインサート成形により製造されている。すなわち、図３において、締め付けボルト６の頭部６１を樹脂製とし、螺子部６２を含む軸部６３を金属製または高比重製品（鉄粉末、ステンレス鋼粉末、タングステン粉末などの金属粉末に熱可塑性樹脂粉末を混合してなる金属樹脂複合材料からなるもの）とし、樹脂製の頭部６１と、金属製または高比重製品からなる軸部６３をインサート成形することにより締め付けボルト６を製造することができる。
【００３６】
また、図４において、締め付けナット７には、締め付けボルト６の螺子部６２と螺着するための金属製または高比重製品からなる螺合部７２が設けられており、締め付けナット７において螺合部７２を除く部分７１は樹脂製である。樹脂製の部分７１と、金属製または高比重製品からなる螺合部７２をインサート成形することにより締め付けナット７を製造することができる。
【００３７】
締め付けボルト６の頭部６１を樹脂製とし、締め付けナット７において螺合部７２を除く部分７１を樹脂製とし、その樹脂の種類を変更させることにより、釣具結束用具の重量の調整を容易に行うことができる。例えば、締め付けボルト６と締め付けナット７の外形および大きさを同じとして、締め付けボルト６の頭部６１と締め付けナット７の部分７１をポリアセタール樹脂製（比重１．４）とした場合の頭部６１と部分７１の合計重量は３．７ｇとなり、締め付けボルト６の頭部６１と締め付けナット７の部分７１をタングステン樹脂製（比重８．０、タングステン９８重量）とした場合の頭部６１と部分７１の合計重量は２１．１ｇとなる。
【００３８】
アーム部３は、円筒状回転体２を支持し、案内部４を設ける部分である。案内部４は円筒状回転体２に巻き付けられる釣用ラインを案内する部分である。案内部４は管状であり、案内部４の両端部分には開口部を有し、内部には釣用ラインが挿通できる空間が確保されている。
【００３９】
次に本実施形態に係る釣具結束用具１を用い、釣用ラインとしてのメインライン９２とリーダー９３とで代表的なボビンノットを作る場合について説明する。
【００４０】
図１において、メインライン９２（図８参照）は案内部４の先端側の開口部（円筒状回転体２に近い方）から通して、円筒状回転体２の巻付部２１（図２参照）にメインライン９２を巻き付ける。メインライン９２の抵抗の調整は、円筒状回転体２を回転させることによって行う。すなわち、左側円形端面２２ａに設けられたローレット加工２４（図２（ｂ）参照）と左側スリーブ５ａに設けられたローレット加工５１（図６参照）とが摩擦面となって円筒状回転体２に対する制動力を発生させ、右側円形端面２２ｂに設けられたローレット加工２４と右側スリーブ５ｂに設けられたローレット加工５１とが摩擦面となって円筒状回転体２に対する制動力を発生させ、接触部分の圧力を増減させる。これにより、円筒状回転体２に生じる摩擦力が増減し、円筒状回転体２の抵抗の強弱を容易に調整することができる。メインライン９２の抵抗は、メインライン９２の強度が強い程、あるいはリーダー９３（図９参照）の直径が太い程、強くする。
【００４１】
次に、メインライン９２とリーダー後端部９３ａ（ノットとなる側）とを合わせて一方の手指で把持する（図９参照）。メインライン９２を把持する位置は、案内部４の先から１０ｃｍ程度の位置とする。リーダー９３の途中部分を他方の手指で把持する。リーダー後端部９３ａを上にし、メインライン９２とリーダー９３とが上下方向になるように保持する。釣具結束用具１をリーダー９３の周りに軽く振りまわすようにして回転させ、リーダー後端部９３ａから５ｃｍ乃至１０ｃｍ程度の範囲に螺旋状にメインライン９２を巻き付ける。巻き終わり部分は手指で把持する（図１０参照）。
【００４２】
次に、メインライン９２を巻き付けたリーダー９３を水平方向に張った状態に保持する。案内部４の先端はリーダー９３に接触させる（図１１参照）。両手でリーダー９３を振って、釣具結束用具１をリーダー９３の周りに回転させる（図１２参照）。
【００４３】
釣具結束用具１をリーダー９３の周りに回転させると、釣具結束用具１に作用する遠心力によってメインライン９２が案内部４の先端側の開口部から少しずつ引き出される。リーダー９３にすでに巻き付けたメインライン９２とリーダー９３とを締め付けながら、メインライン９２をリーダー後端部９３ａ側に向けて巻き付けていく。また、案内部４の先端側の開口部を常にリーダー９３に接近させて釣具結束用具１をリーダー９３の周りに回転させることにより、メインライン９２は間隔を開けず密に巻き付けられる。
【００４４】
メインライン９２による締め付け力は、メインライン９２の強度が強い程、あるいはリーダー９３の直径が太い程、強くするようにする。メインライン９２による締め付け力は、釣具結束用具１に作用する遠心力によって発生するものであるから、釣具結束用具１の重量の増減、および釣具結束用具１の回転速度を増減させることによって、調整することができる。
【００４５】
釣具結束用具１がリーダー後端部９３ａまで達したら巻き付けを終了する。巻き付け回数は、１５０回程度である。巻き付けた部分が解けないように手指で把持し、円筒状回転体２に残ったメインライン９２を引き抜いて外す。以下、従来と同様にメインライン９２端線は、リーダー後端部９３ａに対して、数回ハーフヒッチで編み付け、さらにメインライン９２にメインライン９２端線を１０回ほどハーフヒッチで編み付ける。メインライン９２端線とリーダー後端部９３ａの残余部分をカットして、ボビンノットは完成する。
【００４６】
釣具結束用具１はボビンノットを作る場合に使用するだけでなく、それ以外の用途、例えば、フライフィッシング用のフライを製作する場合に使用することもできることはいうまでもない。
【符号の説明】
【００４７】
１  釣具結束用具
２  円筒状回転体
３  アーム部
４  案内部
５ａ  左側スリーブ
５ｂ  右側スリーブ
６  締め付けボルト
７  締め付けナット
２１  捲付部
２２ａ  左側円形端面
２２ｂ  右側円形端面
２３  貫通孔
２４  ローレット加工
２５  開口
３１ａ  左側アーム
３１ｂ  右側アーム
３２ａ  開口
３２ｂ  開口
５１  ローレット加工
５２  開口
６１  頭部
６２  螺子部
６３  軸部
７２  螺合部
８１    ボビン
８２    ボビンホルダー
８３    導管
８４    アーム
９２    釣用ラインとしてのメインライン
９３    リーダー
９３ａ  リーダー後端部
【図１】
2018029525.tif 000003
【図２】
2018029525.tif 000004
【図３】
2018029525.tif 000005
【図４】
2018029525.tif 000006
【図５】
2018029525.tif 000007
【図６】
2018029525.tif 000008
【図７】
2018029525.tif 000009
【図８】
2018029525.tif 000010
【図９】
2018029525.tif 000011
【図１０】
2018029525.tif 000012
【図１１】
2018029525.tif 000013
【図１２】
2018029525.tif 000014